(57)【要約】【課題】円滑な原稿搬送を行なうことにより、ノイズの少ない高画質の画像読取を行なうことが可能な画像読取装置を提供する。【解決手段】画像読取装置は、原稿Ａを積載するための給紙トレイと、給紙トレイ上から読取位置４２０に向けて１枚ずつ原稿Ａを搬送する原稿搬送部８００と、読取位置４２０を通過中の原稿の画像を透過させるプラテンガラス４１０と、プラテンガラス４１０を透過した原稿Ａの画像を読み取るイメージリーダ部と、読取位置４２０を通過した原稿Ａの搬送をガイドする搬送ガイド部９００とを備える。搬送ガイド部９００の表面には、原稿Ａの搬送ガイド部９００への静電吸着を防止するための帯電防止シートを設ける。【選択図】図２
2009278533.tif 000002
【特許請求の範囲】
【請求項１】
原稿を積載するためのトレイと、
前記トレイ上から読取位置に向けて１枚ずつ原稿を搬送する原稿搬送部と、
前記読取位置を通過中の前記原稿の画像を透過させる読取ガラスと、
前記読取ガラスを透過した前記原稿の画像を読み取る画像読取部と、
前記読取位置を通過した前記原稿の搬送をガイドする搬送ガイド部とを備え、
前記搬送ガイド部は、
台座部と、
前記台座部における前記原稿側の表面の少なくとも一部に設けられ、前記台座部の摩擦係数よりも低い摩擦係数を有し、かつ、前記台座部の表面抵抗値よりも低い表面抵抗値を有するシートとを含む、画像読取装置。
【請求項２】
前記搬送ガイド部は、前記読取位置を通過した前記原稿をすくい上げるようにガイドする形状を有する、請求項１に記載の画像読取装置。
【請求項３】
前記搬送ガイド部は、前記原稿側の表面の一部に前記原稿側に向けて突出し、前記原稿の搬送方向に沿って延びる突出部を有し、
前記突出部における前記原稿側の表面に前記シートを設けた、請求項１または請求項２に記載の画像読取装置。
【請求項４】
前記原稿の搬送方向と交差する方向に並ぶように前記突出部を複数設けた、請求項３に記載の画像読取装置。
【請求項５】
前記原稿は、前記読取ガラスと離間した状態で前記読取位置上を通過する、請求項１から請求項４のいずれかに記載の画像読取装置。
【発明の詳細な説明】
【技術分野】
【０００１】
本発明は、画像読取装置に関し、特に、読取位置を通過した原稿の搬送をガイドする搬送ガイド部を有する画像読取装置に関する。
【背景技術】
【０００２】
複写機、ファクシミリ、イメージスキャナおよび複合機における画像読取方式は、原稿固定方式と原稿搬送方式とに分けられる。原稿搬送方式を用いる場合、原稿の搬送速度を高い精度で一定に保つことが重要である。
【０００３】
特開２００５−８３０９号公報（特許文献１）には、画像が読み取られた後の原稿をすくい上げながら排紙収納部に向かわせる画像読取装置において、読取位置を通過した原稿の先端が当接するすくい上げ部のガイド面の形状を、原稿の先端の一部が当接した後、原稿先端の他の部分が当接して原稿をすくい上げるような形状とすることが記載されている。
【０００４】
また、特開平１０−３２４３号公報（特許文献２）には、画像形成装置の作像ユニットにおいて、転写紙の感光体への進入部近傍に導電性シートを貼付することにより、搬送ガイド中の転写紙への放電を防止することが記載されている。
【特許文献１】特開２００５−８３０９号公報
【特許文献２】特開平１０−３２４３号公報
【発明の開示】
【発明が解決しようとする課題】
【０００５】
上記のような画像読取装置において、読取位置を通過した原稿先端がガイド部に貼り付き、搬送速度が変化した場合、読取画像にゆがみや色ずれなどの不具合が発生することになる。これに対し、特許文献１では、上記のような構成を採用することにより、原稿すくい上げ時の衝撃を少なくすることができるので、安定した原稿画像の読取を行なうことができるとされている。しかしながら、ガイド面を構成する素材によっては、摩擦抵抗や表面抵抗値が高く、結果として、原稿がガイド面に静電吸着されて搬送速度が変化する場合がある。なお、特許文献２に記載の発明は、画像形成装置に関するものであり、画像読取装置に関する本発明とは、前提および構成が全く異なるものである。
【０００６】
本発明は、上記のような問題に鑑みてなされたものであり、本発明の目的は、円滑な原稿搬送を行なうことにより、ノイズの少ない高画質の画像読取を行なうことが可能な画像読取装置を提供することにある。
【課題を解決するための手段】
【０００７】
本発明に係る画像読取装置は、原稿を積載するためのトレイと、トレイ上から読取位置に向けて１枚ずつ原稿を搬送する原稿搬送部と、読取位置を通過中の原稿の画像を透過させる読取ガラスと、読取ガラスを透過した原稿の画像を読み取る画像読取部と、読取位置を通過した原稿の搬送をガイドする搬送ガイド部とを備える。搬送ガイド部は、台座部と、台座部における原稿側の表面の少なくとも一部に設けられ、台座部の摩擦係数よりも低い摩擦係数を有し、かつ、台座部の表面抵抗値よりも低い表面抵抗値を有するシートとを含む。
【０００８】
なお、本願明細書において、『摩擦係数』は『ＪＩＳ  Ｋ  ７１２５』に示す方法で測定された動摩擦係数を意味し、『表面抵抗値』は『ＪＩＳ  Ｋ  ６９１１』で測定されたものを意味する。
【０００９】
上記構成によれば、摩擦係数および表面抵抗値が低いシートを搬送ガイド部の台座部上に設けることにより、読取位置を通過した原稿が搬送ガイド部に静電吸着することによる搬送速度のムラを抑制することができる。この結果、ノイズの少ない高画質の画像読取を行なうことが可能となる。
【００１０】
１つの局面では、上記画像読取装置において、搬送ガイド部は、読取位置を通過した原稿をすくい上げるようにガイドする形状を有する。
【００１１】
上記のように、搬送ガイド部により原稿をすくい上げるようにガイドすることにより、原稿の搬送経路の幅を短縮することができるので、画像読取装置を小型化することができる。このような『すくい上げガイド』を行なうと、原稿が台座部に静電吸着しやすい状況となるが、上記シートを搬送ガイド部の台座部上に設けることにより、読取位置を通過した原稿が搬送ガイド部に静電吸着することを抑制することができる。すなわち、搬送速度ムラの発生を抑制することと、画像読取装置の小型化とを両立することができる。
【００１２】
１つの局面では、上記画像読取装置において、搬送ガイド部は、原稿側の表面の一部に原稿側に向けて突出し、原稿の搬送方向に沿って延びる突出部を有し、突出部における原稿側の表面にシートを設ける。
【００１３】
上記のように、搬送ガイド部の表面の一部に突出部を設け、該突出部上にシートを設けることにより、搬送ガイド部と原稿との接触面積を低減することができるので、静電吸着をさらに効果的に抑制することができる。
【００１４】
１つの局面では、上記画像読取装置において、原稿の搬送方向と交差する方向に並ぶように突出部を複数設ける。
【００１５】
上記のように、突出部を複数設けることにより、幅の狭い原稿から幅の広い原稿まで上記静電吸着防止の効果を得ることができる。
【００１６】
１つの局面では、上記画像読取装置において、原稿は、読取ガラスと離間した状態で読取位置上を通過する。
【００１７】
上記のように、原稿が読取ガラスと離間した状態で搬送される場合、原稿が搬送ガイド部に静電吸着することによる影響が大きくなる。これに対し、本発明に係る画像読取装置によれば、原稿が読取ガラスと離間した状態で搬送される場合であっても、搬送速度ムラを抑制して、ノイズの少ない高画質の画像読取を行なうことが可能である。
【発明の効果】
【００１８】
本発明によれば、原稿が搬送ガイド部に静電吸着されることを抑制することができるので、円滑な原稿搬送を行なうことができる。この結果、ノイズの少ない高画質の画像読取を行なうことができる。
【発明を実施するための最良の形態】
【００１９】
以下に、本発明の実施の形態について説明する。なお、同一または相当する部分に同一の参照符号を付し、その説明を繰返さない場合がある。
【００２０】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組合わせることは、当初から予定されている。
【００２１】
図１は、本発明の１つの実施の形態に係る画像読取装置が適用される複写機の構成を示す概略図である。図１を参照して、本発明の実施の形態に従う複写機１０００は、原稿搬送装置１と、これに連結された画像形成装置２とを含む。画像形成装置２は、原稿面の画像を読み取り一旦メモリに記憶して、必要により各種の画像編集処理をしたのち、周知の電子写真方式によって記録用紙上に画像を形成し、排出部からコピー済み用紙を１枚ずつ排出する、いわゆるデジタル複写機と称されるものである。
【００２２】
複写機１０００は、画像形成装置２の上部に原稿搬送装置１が搭載された構造を有している。また、複写機１０００は、給紙トレイ１００と、原稿搬送制御部２００と、排紙トレイ３００と、イメージリーダ部４００と、制御部５００と、画像形成部６００と、給紙部７００とを含む。
【００２３】
原稿搬送装置１は、給紙トレイ１００上にセットされた１枚または複数枚の原稿を１枚ずつ搬送し、画像形成装置２が有するイメージリーダ部４００によって画像を読込ませ、画像読み取り終了後に当該原稿を排紙トレイ３００上に排出して積載するものであり、両面原稿の場合は、表面と裏面の双方の画像を複写機１０００が有するイメージリーダ部４００を通過するように搬送した後、排紙トレイ３００に排出する。これらの原稿搬送制御は、原稿搬送制御部２００にて行なわれる。
【００２４】
原稿搬送装置１または手置きなどにより図示しないプラテンガラス上にセットされた原稿は、画像形成装置２に内蔵されているイメージリーダ部４００によってその画像が読み取られ、デジタルデータに変換されて制御部５００のメモリに格納される。画像形成部６００は、制御部５００のメモリから画像データを読み出して給紙部７００から供給される記録用紙Ｐに対して、画像の印刷処理を実行し、排出する。
【００２５】
図２は、複写機１０００に含まれる原稿搬送部８００を示す図である。原稿搬送部８００は、給紙トレイ１００上から原稿の読取位置に向けて１枚ずつ原稿を搬送するものである。
【００２６】
図２を参照して、原稿搬送部８００は、フレーム８０１に覆われ、内部に複数の搬送ローラ等が設けられる。具体的には、搬送すべき原稿Ａの束の最上部の原稿Ａに当接し、原稿搬送部８００の内部に搬送するピックアップコロ８０２と、原稿Ａを１枚ずつに分離するフィードコロ８０３およびリバースコロ８０４と、１枚に分離された原稿Ａを搬送するとともに原稿の斜行を補正するレジストローラ８０５，８０６と、レジストローラ８０５，８０６により送られた原稿Ａをプラテンガラス４１０上の読取位置４２０に搬送する読取前ローラ８０８および読取前ローラ８０８と対をなす読取加圧コロ８０９と、読取位置通過後の原稿Ａを排出トレイ３００に搬送する読取後ローラ８１０および読取後ローラ８１０と対をなす搬送加圧コロ８１１とを有している。読取加圧コロ８０９と読取前ローラ８０８とが原稿Ａを挟む圧力は加圧バネ８０７により発生しているものとする。
【００２７】
また、原稿搬送部８００では、レジストローラ８０５，８０６から読取前ローラ８０８の搬送経路において、図２に示すような弓状の湾曲路が設けられている。
【００２８】
また、読取位置４２０における原稿Ａを読み取る際の搬送速度は読取前ローラ８０８の搬送速度が基準となっているものとする。
【００２９】
次に、原稿搬送部８００の動作について説明する。
まず、ピックアップコロ８０２が原稿Ａに当接する。ピックアップコロ８０２と当接した原稿Ａは、ピックアップコロ８０２の回転により、フィードコロ８０３とリバースコロ８０４とからなるローラ対に送られて１枚の原稿Ａに分離されるとともに、搬送経路Ｌ１を通ってレジストローラ８０５，８０６に送られる。
【００３０】
レジストローラ８０５，８０６は、原稿Ａの斜行を補正して、搬送経路Ｌ２を通って読取前ローラ８０８に搬送する。読取前ローラ８０８は、読取前ローラ８０８の回転による搬送速度で原稿Ａを読取位置４２０に搬送し、読取位置４２０を通過させる。
【００３１】
また、読取位置４２０を通過させることにより原稿の読取が始まるように制御される。
具体的には、原稿Ａの上面（表面）の読取が行なわれる。
【００３２】
そして、読取前ローラ８０８により搬送される原稿Ａの搬送方向の先端が読取後ローラ８１０に達すると、原稿Ａは、読取前ローラ８０８と読取後ローラ８１０の双方により搬送される。そして、原稿Ａの後端が読取前ローラ８０８を抜けると、読取後ローラ８１０により搬送が行なわれる。そして、排出ローラ８１２により原稿Ａが排出される。
【００３３】
両面原稿の読取の場合には、原稿Ａは、排出ローラ８１２から搬送経路Ｌ３を通って再びレジストローラ８０５，８０６に搬送される。そして、レジストローラ８０５，８０６は、搬送経路Ｌ３を通って搬送されてきた原稿Ａを再び読取前ローラ８０８に搬送する。そして、原稿Ａは、読取前ローラ８０８から再び、読取位置４２０に搬送されて、原稿Ａの下面（裏面）の読取が行なわれる。その後、原稿Ａは、読取後ローラ８１０に搬送されて、排出ローラ８１２により排出トレイ３００に排出される。
【００３４】
原稿Ａの読取位置４２０と読取後ローラ８１０との間には、読取位置４２０を通過した原稿Ａをすくい上げるようにガイドする搬送ガイド部９００が設けられている。本実施の形態に係る複写機１０００は、この搬送ガイド部９００に特徴部分を有している。
【００３５】
図３は、複写機１０００に含まれる搬送ガイド部９００の一例を示す図である。図３を参照して、本実施の形態に係る複写機１０００では、搬送ガイド部９００の表面に、低摩擦でかつ原稿Ａの帯電を防止することが可能な帯電防止シート９３０を設けることを特徴としている。
【００３６】
なお、搬送ガイド部９００の基材（後述の台座部９１０）の材料としては、一般的な樹脂材料（たとえば、帝人化成株式会社製のＰＣ／ＡＢＳであるＴＮ−７５００）を用い、帯電防止シート９３０としては、たとえば日東電工株式会社製の超高分子ポリエチレンフィルムであるＮｏ．４４３またはＮｏ．４４３０（以下、「試料１」と称する。）を用いることが可能である。
【００３７】
図４は、搬送ガイド部９００の変形例を示す図である。また、図５は、図４に示す変形例の分解斜視図である。図４，図５の例では、搬送ガイド部９００の台座部９１０の一部にリブ９２０を設け、リブ９２０上に帯電防止シート９３０を取り付けている。なお、リブ９２０および帯電防止シート９３０は、原稿Ａの搬送方向に対して直交する方向に並ぶように複数設けられている。また、リブ９２０および帯電防止シート９３０の幅は、適宜変更可能であるが、一例としては、たとえば１０ｍｍ程度である。また、帯電防止シート９３０の形状は、図４，図５に示すような矩形形状（短冊形状）に限定されず、たとえば、図６に示すような台形形状であってもよいし、図７に示すような三角形形状であってもよい。他の観点では、図６に示すように、原稿Ａの搬送方向の下流側に向かって幅が減少するものであってもよいし、図７に示すように、原稿Ａの搬送方向の下流側に向かって幅が増大するものであってもよい。ずなわち、図６，図７に示すように、搬送方向に沿って幅が変動するものであってもよい。
【００３８】
帯電防止シート９３０は、搬送ガイド部９００の基材（台座部９１０）に対して摩擦係数が低く、かつ、表面抵抗値が低いという特性を有する。具体的には、台座部９１０を構成する樹脂の摩擦係数が、たとえば０．５程度であるのに対し、帯電防止シート９３０の摩擦係数は、たとえば０．１以上０．２以下程度である。また、台座部９１０を構成する樹脂の表面抵抗値が、たとえば１０16Ω程度であるのに対し、帯電防止シート９３０の表面抵抗値は、たとえば１０6Ω程度である。
【００３９】
図８は、図４に示す搬送ガイド部９００の断面図である。図８に示すように、典型的な例では、リブ９２０上に設けられる帯電防止シート９３０は、搬送ガイド部９００の長手方向全体にわたって設けられている。しかし、帯電防止シート９３０を設ける範囲はこれに限定されるものではなく、たとえば、図９に示すように、搬送ガイド部９００におけるプラテンガラス４１０に隣接する領域にのみ設けてもよい。
【００４０】
図１２，図１３は、比較例に係る搬送ガイド部９００を示す断面図である。図１２，図１３の例では、搬送ガイド部９００の表面に帯電防止シート９３０が設けられていない。
【００４１】
図１２に示す例では、プラテンガラス４１０の上面と搬送ガイド部９００の上面とが連続するように形成されている。このため、何枚かの原稿Ａが搬送ガイド部９００上を通過すると、原稿Ａと搬送ガイド９００との摺動によって静電気がたまり、原稿Ａの先端が搬送ガイド部９００の表面に静電吸着するようになる。この結果、読取位置４２０での原稿搬送速度が一瞬遅くなり（搬送速度ムラ）、読取画像にゆがみや色ずれが生じる場合がある。
【００４２】
図１３に示す例では、静電吸着への対策として、プラテンガラス４１０の上面と搬送ガイド部９００の上面との間に段差を形成している。このようにすることで、原稿Ａの先端が搬送ガイド部９００に貼り付き難くなる。しかし、この場合は、原稿Ａの先端が段差に落ち込むことにより、結果として、図１２の場合と同様に、搬送速度ムラが発生する場合がある。
【００４３】
また、単に原稿Ａと搬送ガイド部９００との接触面積を低減するためにリブを設けたり、搬送ガイド部９００の表面にＰＥＴフィルムを貼り付けたりするだけでは、耐磨耗性が十分でなく、原稿の通過に伴なって表面が磨耗し、その削れ粉がプラテンガラス４１０上に付着し、画像に筋状のノイズが発生する場合がある。
【００４４】
これに対し、本実施の形態に係る複写機１０００では、上記のように、摩擦係数および表面抵抗値が低い帯電防止シート９３０を搬送ガイド部９００の台座部９１０上に設けることにより、読取位置４２０を通過した原稿Ａが搬送ガイド部９００に静電吸着することによる搬送速度のムラを抑制することができる。この結果、ノイズの少ない高画質の画像読取を行なうことが可能となる。
【００４５】
また、図４，図５の例のように、搬送ガイド部９００の表面の一部にリブ９２０（突出部）を設け、リブ９２０上に帯電防止シート９３０を設けることにより、搬送ガイド部９００と原稿Ａとの接触面積を低減することができるので、静電吸着をさらに効果的に抑制することができる。また、リブ９２０の上に帯電防止シート９３０を設けることにより、帯電防止シート９３０の取付位置が明確になるので、組み立て性も向上する。さらに、リブ９２０を複数設けることにより、幅の狭い原稿から幅の広い原稿まで上記静電吸着防止の効果を得ることができる。
【００４６】
複写機１０００において、搬送ガイド部９００は、読取位置４２０を通過した原稿Ａをすくい上げる『すくい上げガイド』を行なう。これにより、原稿Ａの搬送経路の幅を短縮し、画像読取装置を小型化することができるが、原稿Ａが台座部９１０に静電吸着しやすい状況となる。しかし、上述の帯電防止シート９３０を搬送ガイド部９００の台座部９１０上に設けることにより、読取位置４２０を通過した原稿Ａが搬送ガイド部９００に静電吸着することを抑制することができる。すなわち、本実施の形態によれば、搬送速度ムラの発生を抑制することと、画像読取装置の小型化とを両立することができる。
【００４７】
なお、搬送ガイド部９００によるガイドの形態は、上述の『すくい上げガイド』に限定されず、たとえば、図１０に示すように、平面状のガイドであってもよいし、図１１に示すように、下向きに傾斜するようにガイドしてもよい。
【００４８】
また、複写機１０００において、原稿Ａは、プラテンガラス４１０と離間した状態で読取位置４２０上を通過する。このような場合、原稿Ａが搬送ガイド部９００に静電吸着することによる影響が大きくなる傾向にある。これに対し、本発明に係る複写機１０００では、原稿Ａがプラテンガラス４１０と離間した状態で搬送される場合であっても、搬送速度ムラを抑制して、ノイズの少ない高画質の画像読取を行なうことが可能である。
【００４９】
なお、本願発明者らは、上述の試料１の他、表１に示す試料２〜試料４について、帯電防止シート９３０としての適性を検討した。この結果、表面抵抗値の大きい試料３および試料４に対して、表面抵抗値の小さい試料１および試料２の方が、搬送速度ムラが少なく、よりノイズの少ない高画質の画像読取が可能であることが確認された。
【００５０】
【表１】
2009278533.tif 000003
【００５１】
上述した内容について要約すると、以下のようになる。すなわち、本実施の形態に係る「画像読取装置」としての複写機１０００は、原稿Ａを積載するための給紙トレイ１００と、給紙トレイ１００上から読取位置４２０に向けて１枚ずつ原稿Ａを搬送する原稿搬送部８００と、読取位置４２０を通過中の原稿の画像を透過させるプラテンガラス４１０と、プラテンガラス４１０を透過した原稿Ａの画像を読み取るイメージリーダ部４００と、読取位置４２０を通過した原稿Ａの搬送をガイドする搬送ガイド部９００とを備える。搬送ガイド部９００は、台座部９１０と、台座部９１０における原稿Ａ側の表面の少なくとも一部に設けられ、台座部９１０の摩擦係数よりも低い摩擦係数を有し、かつ、台座部の表面抵抗値よりも低い表面抵抗値を有する帯電防止シート９３０とを含む。
【００５２】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００５３】
【図１】本発明の１つの実施の形態に係る画像読取装置を含む複写機の構成を示す概略図である。
【図２】図１に示す複写機に含まれる原稿搬送装置の断面図である。
【図３】図１に示す複写機に含まれる搬送ガイド部の一例を示す図である。
【図４】搬送ガイド部の変形例を示す図である。
【図５】図４に示す搬送ガイド部の分解斜視図である。
【図６】図４に示す搬送ガイド部に取り付けるシート部材の変形例を示す図である。
【図７】図４に示す搬送ガイド部に取り付けるシート部材の他の変形例を示す図である。
【図８】図４に示す搬送ガイド部の断面図である。
【図９】図４に示す搬送ガイド部の変形例の断面図である。
【図１０】図４に示す搬送ガイド部の他の変形例の断面図である。
【図１１】図４に示す搬送ガイド部のさらに他の変形例の断面図である。
【図１２】１つの比較例に係る搬送ガイド部を示す断面図である。
【図１３】他の比較例に係る搬送ガイド部を示す断面図である。
【符号の説明】
【００５４】
１  原稿搬送装置、２  画像形成装置、１００  給紙トレイ、２００  原稿搬送制御部、３００  排紙トレイ、４００  イメージリーダ部、４１０  プラテンガラス、４２０  読取位置、５００  制御部、６００  画像形成部、７００  給紙部、８００  原稿搬送部、８０１  フレーム、８０２  ピックアップコロ、８０３  フィードコロ、８０４  リバースコロ、８０５，８０６  レジストローラ、８０７  加圧バネ、８０８  読取前ローラ、８０９  読取加圧コロ、８１０  読取後ローラ、８１１  搬送加圧コロ、９００  搬送ガイド部、９１０  台座部、９２０  リブ、９３０  帯電防止シート、１０００  複写機、Ａ  原稿。
【図１】
2009278533.tif 000004
【図２】
2009278533.tif 000005
【図３】
2009278533.tif 000006
【図４】
2009278533.tif 000007
【図５】
2009278533.tif 000008
【図６】
2009278533.tif 000009
【図７】
2009278533.tif 000010
【図８】
2009278533.tif 000011
【図９】
2009278533.tif 000012
【図１０】
2009278533.tif 000013
【図１１】
2009278533.tif 000014
【図１２】
2009278533.tif 000015
【図１３】
2009278533.tif 000016